(57)【要約】【課題】光学機器の組み立て工程を少なくし、且つ容易にすることが可能な閃光ユニットを提供する。【解決手段】本発明の閃光ユニットは、被写体を照射する閃光発光部（１４）と、外部に音を出力するスピーカ（１６）と、外部の音声を録音するマイク（１５）と、がユニット化され、光学機器（１）の筐体（３）に一体となって着脱可能なことを特徴とする。【選択図】図１
2009198773.tif 000002
【特許請求の範囲】
【請求項１】
被写体を照射する閃光発光部と、
外部に音を出力するスピーカと、
外部の音声を録音するマイクと、
がユニット化され、光学機器の筐体に対して一体となって着脱可能なことを特徴とする閃光ユニット。
【請求項２】
請求項１に記載の閃光ユニットであって、
前記スピーカの音声出力部と前記マイクの集音部とが互いに直角になるように配置されていることを特徴とする閃光ユニット。
【請求項３】
請求項１または２に記載の閃光ユニットであって、
前記閃光発光部、前記スピーカ及び前記マイクと、前記光学機器の前記筐体の内部に配置された他部材と、を接続するコネクタが設けられていることを特徴とする閃光ユニット。
【請求項４】
請求項１〜３のいずれか１項に記載の閃光ユニットであって、
被写体に光を照射して焦点検出を補助するための補助光発生部が、さらにユニット化されていることを特徴とする閃光ユニット。
【請求項５】
請求項１〜４のいずれか１項に記載の閃光ユニットであって、
機能操作用のスイッチが、さらにユニット化されていることを特徴とする閃光ユニット。
【請求項６】
請求項３〜５のいずれか１項に記載の閃光ユニットであって、
前記閃光発光部、前記スピーカまたは前記マイクの電気配線を前記コネクタまで導くガイドが設けられていることを特徴とする閃光ユニット。
【請求項７】
請求項１〜６のいずれか１項に記載の閃光ユニットであって、
前記閃光ユニットの枠体が前記光学機器の前記筐体の一部を構成していることを特徴とする閃光ユニット。
【請求項８】
請求項１〜７のいずれか１項に記載の閃光ユニットを備える光学機器。
【発明の詳細な説明】
【技術分野】
【０００１】
本発明は、閃光ユニット及びそれを備えた光学機器に関するものである。
【背景技術】
【０００２】
従来、カメラ等の光学機器において、閃光装置をユニット化して光学機器内へ組み付けているものがある（例えば、特許文献１参照）。また、近年、光学機器は多機能化し、マイクやスピーカを有する光学機器も存在する。このような光学機器は、閃光装置、マイク及びスピーカ等がそれぞれ別個のパーツとして光学機器に取り付けられている。
【特許文献１】特開２００２−２７７９４１号公報
【発明の開示】
【発明が解決しようとする課題】
【０００３】
しかし、閃光装置、マイク及びスピーカ等をそれぞれ別個のパーツとして光学機器に取り付けると、組み立て工程が多くなり、組み立てに時間がかかる。また、それぞれが電気配線を有するため、組み立て時に配線が絡まる可能性がある。
【０００４】
本発明の課題は、光学機器の組み立て工程を少なくし、且つ組み立てが容易な閃光ユニットを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、被写体を照射する閃光発光部（１４）と、外部に音を出力するスピーカ（１６）と、外部の音声を録音するマイク（１５）と、がユニット化され、光学機器（１）の筐体（３）に対して一体となって着脱可能なことを特徴とする閃光ユニット（１２）である。
請求項２に記載の発明は、請求項１に記載の閃光ユニット（１２）であって、前記スピーカ（１６）の音声出力部（２３）と前記マイク（１５）の集音部（２１）とが互いに直角になるように配置されていることを特徴とする閃光ユニット（１２）である。
請求項３に記載の発明は、請求項１または２に記載の閃光ユニット（１２）であって、前記閃光発光部（１４）、前記スピーカ（１６）及び前記マイク（１５）と、前記光学機器（１）の前記筐体（３）の内部に配置された他部材（４）と、を接続するコネクタ（３０，３１）が設けられていることを特徴とする閃光ユニット（１２）である。
請求項４に記載の発明は、請求項１〜３のいずれか１項に記載の閃光ユニット（１２）であって、被写体に光を照射して焦点検出を補助するための補助光発生部（１７）が、さらにユニット化されていることを特徴とする閃光ユニット（１２）である。
請求項５に記載の発明は、請求項１〜４のいずれか１項に記載の閃光ユニット（１２）であって、機能操作用のスイッチが、さらにユニット化されていることを特徴とする閃光ユニット（１２）である。
請求項６に記載の発明は、請求項３〜５のいずれか１項に記載の閃光ユニット（１２）であって、前記閃光発光部（１４）、前記スピーカ（１６）または前記マイク（１５）の電気配線（２０，２２，２４，３８）を前記コネクタ（３０，３１）まで導くガイド（２８）が設けられていることを特徴とする閃光ユニット（１２）である。
請求項７に記載の発明は、請求項１〜６のいずれか１項に記載の閃光ユニット（１２）であって、前記閃光ユニット（１２）の枠体（１３）が前記光学機器（１）の前記筐体（３）の一部を構成していることを特徴とする閃光ユニット（１２）である。
請求項８に記載の発明は、請求項１〜７のいずれか１項に記載の閃光ユニット（１２）を備える光学機器（１）である。
なお、符号を付して説明した構成は、適宜改良してもよく、また、少なくとも一部を他の構成物に代替してもよい。
【発明の効果】
【０００７】
本発明によれば、光学機器の組み立て工程が少なく、且つ組み立てが容易な閃光ユニットを提供することができる。
【発明を実施するための最良の形態】
【０００８】
以下、図面等を参照して、本発明の一実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００９】
図１は、本実施形態のカメラ１の概略分解斜視図である。図示するようにカメラ１は、前カバー２と、図示を省略した後カバーとによって形成されたカメラ筐体３と、カメラ筐体３の内部に配置されるメイン回路基板４と、撮影レンズ、シャッター、ファインダー光学系、撮像部（いずれも図示せず）、その他の撮影に必要な部品類とを有している。
【００１０】
前カバー２の前面には、撮影レンズを露出するためのレンズ孔５、ストロボ発光のためのストロボ孔６、外部の音声を拾うための集音孔７が形成されている。ストロボ孔６はレンズ孔５の上方に位置するように前カバーの前面におけるＸプラス側に配置されている。前カバー２の前面におけるストロボ孔６よりもＸマイナス側には、オートフォーカス（以下、ＡＦ）補助光のためのＡＦ補助光孔８が形成されている。また、前カバー２のＸプラス側の側面には、音声を放出するための小径の放音孔９が形成されている。
【００１１】
後カバーには、ファインダ窓、被写体像等を表示する液晶ディスプレイ、各種設定を行うための設定スイッチ（いずれも図示せず）等が配置される。
【００１２】
前カバー２及び後カバーは、組付ねじ１０によって組み付けられ、カメラ筐体３が形成される。組付ねじ１０は前カバー２の開口部分に形成された組付フランジ１１にも受けられたねじ孔及び後カバーに形成されたねじ孔に挿入される。そして、この組付ねじ１０は、後述するストロボユニット１２の組付ボス３４に螺合されることにより前カバー２及び後カバーの組み付けが行われる。
【００１３】
図２及び図３はメイン回路基板４に組み付けられるストロボユニット１２の分解斜視図及び組付状態の斜視図を示す。ストロボユニット１２は、ホルダ１３と、ホルダ１３に取り付けられるストロボ発光部１４、マイク１５、スピーカ１６及びＡＦ補助光発光部１７とを有している。
【００１４】
ストロボ発光部１４は、被写体にストロボ光を照射するものであり、ストロボ発光管１８と、ストロボ発光管１８が支持された支持板１９と、支持板１９から延びている３本のリード線２０とを備えている。マイク１５は、カメラ筐体３の外部の音声を録音するものであり、集音器２１と、集音器２１から延びているリード線２２とを備えている。スピーカ１６は、カメラ筐体３の外部に音声を出力するものであり、音声出力器２３と、音声出力器２３から延びているリード線２４とを備えている。ＡＦ補助光発光部１７は、被写体に光を照射して焦点検出を補助するものであり、ＡＦ補助光発光部１７はＡＦ補助光を発光するＬＥＤ等の補助光源３２と、補助光源３２を支持するブラケット板３３とを備える。
【００１５】
ホルダ１３に対し、ストロボ発光部１４、マイク１５、ＡＦ補助光発光部１７は前面に取り付けられ、スピーカ１６はＸプラス側の側面に取り付けられる。ストロボ発光部１４を取り付けるため、ホルダ１３の前面には、支持板１９を挟み込むための上下一対の挟み板２５が突出するように形成されている。支持板１９を挟み板２５の間に圧入して固定したり、両面粘着テープを介して固定することによりストロボ発光部１４がホルダ１３に固定される。ホルダ１３におけるストロボ発光部１４の取り付け部位よりも後側には壁部を起立させることにより形成されたガイド溝２８が複数形成されており、これらのガイド溝２８がストロボ発光部１４のリード線２０の案内を行う。
【００１６】
マイク１５を取り付けるため、ホルダ１３の前面には集音器２１の外形に対応した筒状ブラケット２６が形成されている。集音器２１を筒状ブラケット２６に圧入して固定したり、両面粘着テープを介して固定することによりマイク１５がホルダ１３に固定される。また、スピーカ１６を取り付けるため、ホルダ１３のＸプラス側の側面には、音声出力器２３の外形に対応した筒状ブラケット２７が形成されている。音声出力器２３を筒状ブラケット２７に圧入して固定したり、両面粘着テープを介して固定することによりスピーカ１６がホルダ１３に固定される。マイク１５及びスピーカ１６のリード線２２、２４はストロボ発光部１４のリード線２０と同様にホルダ１３に形成されたガイド溝（図示せず）により案内される。
【００１７】
ＡＦ補助光発光部１７はホルダ１３の前面におけるストロボ発光部１４の隣接位置に固定される。取り付けは、ブラケット板３３をホルダ１３の前面に当接させてねじ３３ａを螺合することにより行われる。また、ＡＦ補助光発光部１７のリード線３８は、ホルダ１３の下面（Ｙマイナス側面）に形成されたガイド溝（図示せず）により案内される。
【００１８】
このようにリード線２０、２２、２４、３８がホルダ１３のガイド溝に案内されることにより、リード線２０、２２、２４、３８の絡み合いを防止することができる。これらのリード線の先端部はコネクタ３０、３１に接続される。コネクタ３０は、ストロボ発光部１４のリード線２０の先端部が接続され、コネクタ３１はマイク１５、スピーカ１６、ＡＦ補助光発光部１７のリード線２２、２４、３８が接続される。リード線２０、２２、２４、３８のコネクタ３０、３１への接続に際し、ホルダ１３のガイド溝がリード線の引き回しを案内するため、リード線２０、２２、２４、３８を対応したコネクタ３０、３１に確実に接続することができる。
【００１９】
また、マイク１５用の筒状ブラケット２６が、ホルダ１３の前面に設けられ、スピーカ１６用の筒状ブラケット２７がホルダ１３の側面に設けられることにより、マイク１５の集音器２１とスピーカ１６の音声出力器２３とが直角の位置関係で配置される。このことにより、マイク１５及びスピーカ１６の配置スペースを削減できるメリットがある。
【００２０】
なお、ホルダ１３におけるＸプラス側の側面には、上述した組付ねじ１０を螺合するための組付ボス３４が形成されている。
【００２１】
次に、本実施形態のストロボユニット１２のカメラ筐体３への取り付けについて説明する。上述のように、ストロボ発光部１４、マイク１５、スピーカ１６及びＡＦ補助光発光部１７をホルダ１３に固定し、ストロボ発光部１４のリード線２０をコネクタ３０に接続し、マイク１５、スピーカ１６及びＡＦ補助光発光部１７のリード線２２、２４、３８をコネクタ３０に接続することによりストロボユニット１２を組み立てる。そして、組み立てたストロボユニット１２を図１に示すようにメイン回路基板４に固定する。メイン回路基板４への固定は、固定ねじ３５によって行う。メイン回路基板４には、パターン形成された回路と接続されたコネクタ受け部３６，３７が取り付けられている。ストロボユニット１２をメイン回路基板４に固定した後、上述したコネクタ３０、３１を対応したコネクタ受け部３６，３７に接続する。この接続により、ストロボ発光管１８、集音器２１、音声出力器２３、ＡＦ補助光発光部１７の駆動が可能となる。
【００２２】
組付ねじ１０をカメラ筐体３側から組付ボス３４に螺合させることにより、メイン回路基板４がカメラ筐体３に固定される。メイン回路基板４の固定により、ストロボユニット１２もカメラ筐体３に位置決めされ、ストロボ発光部１４のストロボ発光管１８が前カバー２のストロボ孔６に臨み、マイク１５の集音器２１が前カバー２の集音孔７に臨み、ＡＦ補助光発光部１７の補助光源３２がＡＦ補助光孔８に臨む。また、スピーカ１６の音声出力器２３が前カバー２の放音孔９に臨む。以上、ストロボ発光部１４、マイク１５，スピーカ１６、ＡＦ補助光発光部１７が一体となったユニットとなっているため、カメラ筐体３に対して一体となって着脱可能となる。
【００２３】
以上、本実施形態によると、以下の効果を有する。
（１）ストロボ発光部１４、マイク１５、スピーカ１６、ＡＦ補助光発光部１７をホルダ１３に取り付けることにより、これらをストロボユニット１２としてユニット化しているため、ストロボ発光部１４、マイク１５、スピーカ１６、ＡＦ補助光発光部１７のそれぞれを個々にカメラ筐体に取り付ける必要がなくなる。このため、組立工程が少なくなると共に、組立が容易となる。
（２）マイク１５の集音器２１とスピーカ１６の音声出力器２３とを直角に配置しているため、これらの配置スペースを削減することができる。
（３）ストロボ発光部１４のリード線２０をコネクタ３０に接続し、マイク１５、スピーカ１６及びＡＦ補助光発光部１７のリード線２２、２４、３８をコネクタ３１に接続しているため、コネクタ３０、３１の引き抜きだけでストロボ発光部１４、マイク１５、スピーカ１６を交換することができ、これらの交換が容易となる。
【００２４】
（変形形態）
以上、説明した実施形態に限定されることなく、以下に示すような種々の変形や変更が可能であり、それらも本発明の範囲内である。
（１）本実施形態では、ストロボ発光部１４、マイク１５、スピーカ１６、ＡＦ補助光発光部１７をユニット化しているが、これに限らず、機能操作用のスイッチをさらにユニット化してもよい。機能操作用のスイッチとしては、ファインダ切換スイッチ、フェイスクリアスイッチ等があり、これらのユニット化したスイッチはカメラ筐体の外側から操作可能に配置される。
（２）本実施形態では、ストロボユニット１２のホルダ１３がカメラ筐体３の内部に配置されているが、カメラ筐体３の背面、上面の一部を構成するようにホルダ１３を形成してもよい。このように形成することにより、カメラ筐体３に対するホルダ１３の位置決めを容易に行うことができる。
（３）本実施形態では、スピーカ１６をマイク１５の横方向における直角位置に配置しているが、スピーカ１６を上下方向における直角位置に配置してもよい。
（４）ＡＦ補助光発光部１７は、必要のない場合には省いてもよい。
なお、実施形態及び変形形態は、適宜組み合わせて用いることもできるが、詳細な説明は省略する。また、本発明は以上説明した実施形態によって限定されることはない。
【図面の簡単な説明】
【００２５】
【図１】本発明の一実施形態のカメラを示す分解斜視図である。
【図２】本発明の一実施形態のストロボユニットの分解斜視図である。
【図３】ストロボユニットの組立状態の斜視図である。
【符号の説明】
【００２６】
１：カメラ、２：前カバー、３：カメラ筐体、４：メイン回路基板、１２：ストロボユニット、１３：ホルダ、１４：ストロボ発光部、１５：マイク、１６：スピーカ、１７：ＡＦ補助光発光部、２０，２２，２４，３８：リード線、３０，３１：コネクタ
【図１】
2009198773.tif 000003
【図２】
2009198773.tif 000004
【図３】
2009198773.tif 000005